(57)【要約】【課題】電池駆動装置のパワーマネージメントにおいて、電源である電池の有効利用を図り、電池の消耗を抑えることのできる電池駆動装置、及び、電源供給方法を提供する。【解決手段】ミニディスク２０とメモリ５を使用したポータブルミニディスク再生装置において、ミニディスク２０のデータ読み込み時や、ピックアップ９やＤＳＰ（デジタル・シグナル・プロセッサ）６がフルに稼動している状態、また、電池１の電圧が低い状態では、昇圧コンバータ３からＤＳＰ６のデジタル部へ電源供給され、メモリ内容の読み出し等、ピックアップ９やＤＳＰ６がフルに稼動していないような動作状態になったときや、電池１の電圧が高いときには、パススイッチ４により電池１とＤＳＰ６のデジタル部が直結される電源供給形態に切り替える。そして、電池１とＤＳＰ６のデジタル部が直結された電源供給形態時には、昇圧コンバータ３の昇圧動作を停止する。【選択図】      図１
2004260955.tif 000002
【特許請求の範囲】
【請求項１】
動作状態によって消費電力が異なる負荷部を電池からの電力で駆動させる電池駆動装置において、
前記電池の電圧を異なる電圧に変換して前記負荷部に供給する第１の電源供給手段と、前記電池の電圧を直接前記負荷部に供給する第２の電源供給手段と、前記負荷部の前記動作状態を判定する動作状態判定手段と、前記電池の電圧を検出する電池電圧検出手段と、前記動作状態判定手段により判定された前記負荷部の動作状態と前記電池電圧検出手段により検出された前記電池の電圧とに応じて、第１の電源供給手段により前記負荷部に電源供給する第１の電源供給形態と第２の電源供給手段により前記負荷部に電源供給する第２の電源供給形態との切替制御を行う切替制御手段と、を設けたことを特徴とする電池駆動装置。
【請求項２】
第１の電源供給手段が直流入力を電圧の異なる直流出力に変換する自励式または他励式の昇圧コンバータであり、第２の電源供給手段が前記電池と負荷部とを直結するスイッチであることを特徴とする請求項１に記載の電池駆動装置。
【請求項３】
前記昇圧コンバータが、昇圧動作の停止中は直流入力を該直流入力電圧より低い電圧の直流出力に変換し、昇圧動作中は直流入力を該直流入力電圧より高い電圧の直流出力に変換する機能を有し、前記動作状態判定手段により判定された前記負荷部の動作状態と前記電池電圧検出手段により検出された前記電池の電圧とに応じて、前記昇圧コンバータを昇圧動作させる、または、前記昇圧コンバータの昇圧動作を停止させることを特徴とする請求項２に記載の電池駆動装置。
【請求項４】
前記動作状態判定手段が前記負荷部の前記動作状態を消費電力の小さい動作状態であると判定し、前記電池電圧検出手段により検出された前記電池の電圧が予め定められた第１の判定電圧より高いときに、前記スイッチを開放するとともに、前記昇圧コンバータの昇圧動作を停止させ、
前記動作状態判定手段が前記負荷部の前記動作状態を消費電力の小さい動作状態であると判定し、前記電池電圧検出手段により検出された前記電池の電圧が第１の判定電圧より低く、予め定められた第２の判定電圧より高いとき、または、前記動作状態判定手段が前記負荷部の前記動作状態を消費電力の大きい動作状態であると判定し、前記電池電圧検出手段により検出された前記電池の電圧が予め定められた第３の判定電圧より高いときに、前記スイッチを閉成するとともに、前記昇圧コンバータの昇圧動作を停止させ、
前記動作状態判定手段が前記負荷部の前記動作状態を消費電力の小さい動作状態であると判定し、前記電池電圧検出手段により検出された前記電池の電圧が第２の判定電圧より低いとき、または、前記動作状態判定手段が前記負荷部の前記動作状態を消費電力の大きい動作状態であると判定し、前記電池電圧検出手段により検出された前記電池の電圧が第３の判定電圧より低いときに、前記スイッチを開放するとともに、前記昇圧コンバータを昇圧動作させることを特徴とする請求項３に記載の電池駆動装置。
【請求項５】
前記スイッチを開放するとともに、前記昇圧コンバータの昇圧動作を停止させているときの該昇圧コンバータからの出力電圧が、前記負荷部の定格電圧より高いことを特徴とする請求項４に記載の電池駆動装置。
【請求項６】
前記負荷部がディスク再生装置またはディスク記録装置のピックアップ部を有し、前記負荷部の前記動作状態には少なくとも前記ピックアップ部のピックアップが移動している移動状態および移動していない非移動状態が含まれることを特徴とする請求項１〜請求項５のいずれかに記載の電池駆動装置。
【請求項７】
前記負荷部がディスク再生装置またはディスク記録装置のピックアップ部を有し、前記動作状態判定手段が消費電力の小さい動作状態と判定する前記負荷部の前記動作状態が、前記ピックアップ部のピックアップが移動していない非移動状態であり、前記動作状態判定手段が消費電力の大きい動作状態と判定する前記負荷部の前記動作状態が、前記ピックアップ部のピックアップが移動している移動状態であることを特徴とする請求項４〜請求項６のいずれかに記載の電池駆動装置。
【請求項８】
前記負荷部に供給される直流電圧を検出する負荷電圧検出手段を設け、第２の電源供給形態で前記負荷部に電源供給されているときであって、前記負荷電圧検出手段により検出された電圧が所定の電圧より低くなったときに、前記切替制御手段が第１の電源供給形態に切り替えることを特徴とする請求項１〜請求項７のいずれかに記載の電池駆動装置。
【請求項９】
前記負荷部に供給される直流電圧を検出する負荷電圧検出手段を設け、第２の電源供給形態で前記負荷部に電源供給されているときであって、前記負荷電圧検出手段により検出された電圧が所定の電圧より低くなったときに、前記負荷電圧検出手段の出力により前記昇圧コンバータを昇圧動作させるとともに、前記スイッチを開放することを特徴とする請求項２〜請求項７のいずれかに記載の電池駆動装置。
【請求項１０】
前記電池電圧検出手段がマイコンのＡＤ変換によるものであることを特徴とする請求項１〜請求項９のいずれかに記載の電池駆動装置。
【請求項１１】
前記スイッチが、Ｎチャンネル型ＭＯＳＦＥＴであることを特徴とする請求項２〜請求項１０のいずれかに記載の電池駆動装置。
【請求項１２】
動作状態によって消費電力が異なる負荷部に電池の電圧を異なる電圧に変換して供給する第１の電源供給手段と、前記電池の電圧を直接前記負荷部に供給する第２の電源供給手段とを備えた電池駆動装置における電源供給方法において、
前記負荷部の前記動作状態を判定する動作状態判定ステップと、前記電池の電圧を検出する電池電圧検出ステップと、前記動作状態判定ステップで判定された前記負荷部の動作状態と前記電池電圧検出ステップで検出された前記電池の電圧とに応じて、第１の電源供給手段により前記負荷部に電源供給する第１の電源供給形態と第２の電源供給手段により前記負荷部に電源供給する第２の電源供給形態との切替を行う切替ステップと、を設けたことを特徴とする電源供給方法。
【請求項１３】
前記切替ステップは、第１の電源供給手段の起動と第２の電源供給手段から電源供給の停止とを同時に行うことを特徴とする請求項１２に記載の電源供給方法。
【請求項１４】
前記負荷部がディスク再生装置またはディスク記録装置のピックアップ部を有し、前記負荷部の前記動作状態には少なくとも前記ピックアップ部のピックアップが移動している移動状態および移動していない非移動状態が含まれることを特徴とする請求項１２または請求項１３に記載の電源供給方法。
【請求項１５】
前記移動状態から非移動状態へ移行するときが、前記ピックアップ部が所定のアドレスをサーチし、該サーチを完了してディスクデータを読み込み始めたときであることを特徴とする請求項１４に記載の電源供給方法。
【発明の詳細な説明】
【０００１】
【発明の属する技術分野】
本発明は、携帯型ディスク再生装置、携帯型ディスク記録装置等の電池駆動装置に関するものであり、特に、搭載された電池の電気エネルギーを有効に活用できる電池駆動装置に関するものである。
【０００２】
【従来の技術】
近年の半導体製造プロセスの進化、とりわけ微細加工技術の進歩により、半導体デバイスとしてデジタル集積回路（ＩＣ）の代表であるプロセッサ等は、益々、微細化され、最小線幅も年ごとに細線化している。そして、この細線化傾向に伴って、デバイスそのものの動作電圧も低電圧化しつつある。携帯型ディスク再生装置や携帯型ディスク記録装置等の電池駆動装置のデジタル系において使用されるデバイスも例外ではなく、低電圧動作するマイクロプロセッサやシグナルプロセッサ等が採用されている。
【０００３】
一方、電池駆動装置のＣＰＵやそのインターフェースには、メモリやレーザーに代表される電子デバイスが使用されており、これらの回路では、そのパフォーマンスを最大限に引き出すため、前記デジタル系において使用されるデジタル集積回路に供給される電圧より高い電圧が必要とされている。
【０００４】
このように、電池駆動装置には、電池電圧よりも高い電圧で動作するデバイスと、電池電圧付近の電圧を使用して動作するデバイスとが混在して実装されており、これらの電源の供給元として、いわゆる昇圧型ＤＣＤＣコンバータを使用し、電池電圧を所望の電圧に上げて所定の回路へ供給している。
【０００５】
また、携帯電話端末において、待ち受け時やプロセッサ等がフルに稼動してない状態では、シリーズ電源より電源供給されるようにし、頻繁にプロセッサ等が作動しているような動作条件になったときには、ＤＣＤＣコンバータから電源供給される形態に切り替える。そして、シリーズ電源からの電源供給時には、ＤＣＤＣコンバータの動作を停止するようにしたものもある。（例えば、特許文献１参照）。
【０００６】
【特許文献１】
特開２００２−６４６２４号公報    （第３−５頁、第１図）
【０００７】
【発明が解決しようとする課題】
しかしながら、電池駆動装置のデジタル集積回路を使用する上で、上述したような従来の昇圧コンバータをそのまま使ったのでは、その昇圧動作に伴って電力の損失が発生する。このことは、昇圧コンバータでは、本来、ＩＣ等のデバイスへ供給されるべき電力が、その供給元で消費されていることを意味しており、電源（例えば、ニッケル水素電池）の持つ電気エネルギーを有効に活用していない、という問題がある。
【０００８】
また、昇圧コンバータを採用した場合、その使用条件によっては、昇圧コンバータで定電圧化する過程で昇圧制御のために消費される電力が、電池駆動装置内のデジタル集積回路で使用される電力に比して無視できなくなる程度に大きくなるというような事態が起こることも少なくない。
【０００９】
また、特許文献１に記載の従来技術では、負荷の電力消費量が大きくなったときに、シリーズ電源からＤＣＤＣコンバータ電源に切り替えることで、シリーズ電源と、シリーズ電源に比して電力損失の少ないＤＣＤＣコンバータ電源との電力損失の差分だけ電力損失を低減することはできるが、ＤＣＤＣコンバータ電源で消費される無駄な電力損失を低減することができないという問題があった。
【００１０】
本発明は、上記の点に鑑み、電池駆動装置のパワーマネージメントにおいて、電源である電池の有効利用を図り、電池の消耗を抑えることのできる電池駆動装置、及び、電源供給方法を提供することを目的とする。
【００１１】
【課題を解決するための手段】
上記目的を達成するために本発明は、動作状態によって消費電力が異なる負荷部を電池からの電力で駆動させる電池駆動装置において、前記電池の電圧を異なる電圧に変換して前記負荷部に供給する第１の電源供給手段と、前記電池の電圧を直接前記負荷部に供給する第２の電源供給手段と、前記負荷部の前記動作状態を判定する動作状態判定手段と、前記電池の電圧を検出する電池電圧検出手段とを設け、前記動作状態判定手段により判定された前記負荷部の動作状態と前記電池電圧検出手段により検出された前記電池の電圧とに応じて、第１の電源供給手段と第２の電源供給手段とを切り替えて前記負荷部に電源供給するようにしたものである。
【００１２】
このようにすることにより、前記電池から前記負荷部に第２の電源供給手段で電源供給しているときには、前記電池の電圧を変換するための電力損失が生じないので、前記電池の消耗を抑え、前記電池の電気エネルギーを有効に活用できる。また、前記負荷部の消費電力が変化し、前記電池の電圧変動が生じる場合や、前記電池の出力電圧が低下したときには、第１の電源供給手段で電源供給することにより、前記負荷部の電圧スペックに適応した安定した電源を供給することができるので、前記負荷部に安定した動作を行わせることができる。
【００１３】
また、例えば、第１の電源供給手段を、直流入力を電圧の異なる直流出力に変換する自励式または他励式の昇圧コンバータにし、第２の電源供給手段を、前記電池と負荷部とを直結するスイッチにすると、このスイッチを介して電源供給する際には、電圧変換等のための無駄な電力損失が無く、前記電池の出力電圧が低下したときには、昇圧コンバータにより前記電池電圧を昇圧し、前記負荷部の電圧スペックに適応した安定した電圧を供給することができる。
【００１４】
また、例えば、前記昇圧コンバータを、昇圧動作の停止中は直流入力を、この直流入力電圧より低い電圧の直流出力に変換し、昇圧動作中は直流入力を、この直流入力電圧より高い電圧の直流出力に変換する昇圧コンバータにし、前記動作状態判定手段により判定された前記負荷部の動作状態と前記電池電圧検出手段により検出された前記電池の電圧とに応じて、この昇圧コンバータを昇圧動作させる、または、この昇圧コンバータの昇圧動作を停止させるようにすると良い。
【００１５】
このようにすると、前記昇圧コンバータの昇圧動作を停止させた状態で、前記負荷部に電源を供給することができ、この昇圧コンバータを昇圧動作させるための電力が不要となるので、前記電池の消耗を更に抑制することができる。また、前記負荷部に供給される電圧が低くなるので、前記負荷部での消費電力が低減され、電池駆動装置全体としての消費電力が低減され、省電力を図ることができる。
【００１６】
また、例えば、前記動作状態判定手段が前記負荷部の前記動作状態を消費電力の小さい動作状態であると判定し、前記電池電圧検出手段により検出された前記電池の電圧が予め定められた第１の判定電圧より高いときに、前記スイッチを開放するとともに、前記昇圧コンバータの昇圧動作を停止させ、前記動作状態判定手段が前記負荷部の前記動作状態を消費電力の小さい動作状態であると判定し、前記電池電圧検出手段により検出された前記電池の電圧が第１の判定電圧より低く、予め定められた第２の判定電圧より高いとき、または、前記動作状態判定手段が前記負荷部の前記動作状態を消費電力の大きい動作状態であると判定し、前記電池電圧検出手段により検出された前記電池の電圧が予め定められた第３の判定電圧より高いときに、前記スイッチを閉成するとともに、前記昇圧コンバータの昇圧動作を停止させ、前記動作状態判定手段が前記負荷部の前記動作状態を消費電力の小さい動作状態であると判定し、前記電池電圧検出手段により検出された前記電池の電圧が第２の判定電圧より低いとき、または、前記動作状態判定手段が前記負荷部の前記動作状態を消費電力の大きい動作状態であると判定し、前記電池電圧検出手段により検出された前記電池の電圧が第３の判定電圧より低いときに、前記スイッチを開放するとともに、前記昇圧コンバータを昇圧動作させるようにすると良い。
【００１７】
このようにすると、前記電池の電圧変動がなく、且つ、この電池の電圧が前記負荷部の電圧スペックに比して充分高いときは、前記昇圧コンバータの昇圧動作を停止させた状態で、前記負荷部に前記電池電圧より低い電圧を供給することにより、前記昇圧コンバータの昇圧動作に伴う無駄な電力損失を無くし、更に、前記負荷部の消費電力を低減させることができる。
【００１８】
また、前記電池の電圧変動がなく、且つ、この電池の電圧が前記負荷部の電圧スペックと同等程度のとき、または、前記電池の電圧変動があり、且つ、この電池の電圧が前記負荷部の電圧スペックに比して充分高いときは、前記スイッチを閉成することにより電源供給するので、前記昇圧コンバータで消費される電力損失を無くすことができる。
【００１９】
また、前記電池の電圧が前記負荷部の電圧スペックに比して低く、また、前記電池の電圧変動により前記負荷部に供給される電圧が、前記負荷部の電圧スペックより低下して前記負荷部の動作が停止する場合は、前記昇圧コンバータを昇圧動作させ、前記電池の電圧を昇圧した電圧を前記負荷部に安定供給することにより、前記負荷部の安定した動作が図れる。
【００２０】
また、例えば、前記スイッチを開放するとともに、前記昇圧コンバータの昇圧動作を停止させているときに、前記昇圧コンバータを介して前記負荷部に供給される電圧が、前記負荷部の定格電圧より高くなるようにすると、前記昇圧コンバータの昇圧動作により消費される電力を無くすことができるので、省電力になるとともに、前記負荷部の安定した動作を図ることができる。
【００２１】
また、例えば、前記負荷部がディスク再生装置またはディスク記録装置のピックアップ部を有し、前記動作状態判定手段が判定した前記負荷部の前記動作状態が、前記ピックアップ部のピックアップが移動している移動状態、および、移動していない非移動状態であるとすると、前記ピックアップの移動による消費電力の増大で前記電池の電圧変動が発生する場合には、前記昇圧コンバータを昇圧動作させて前記ピックアップ部の電圧スペックに適応した安定した電圧を前記ピックアップ部に供給することができるので、前記ピックアップ部を安定して作動させることができる。また、前記ピックアップが非移動状態で前記電池の電圧が変動しない場合には、前記昇圧コンバータの昇圧動作を停止させた状態で前記ピックアップ部の電圧スペックに適応した電圧を前記ピックアップ部に供給することができるので、前記昇圧コンバータでの電力損失を低減でき、省電力が図れる。
【００２２】
また、例えば、前記負荷部に供給される直流電圧を検出する負荷電圧検出手段を設け、第２の電源供給形態で前記負荷部に電源供給されているときであって、前記負荷電圧検出手段により検出された電圧が所定の電圧より低くなったときに、前記切替制御手段が第１の電源供給形態に切り替えるようにすると良い。このようにすると、前記電池の電圧が前記負荷部に直接供給されているときに、前記電池の電圧が突然低下しても、速やかに第１の電源供給手段に切り替えて安定した電源供給をすることができるので、前記負荷部の安定した動作を図ることができる。
【００２３】
また、例えば、前記負荷部に供給される直流電圧を検出する負荷電圧検出手段を設け、前記スイッチを介して前記負荷部に電源供給されているときであって、前記負荷電圧検出手段により検出された電圧が所定の電圧より低くなったときに、前記昇圧コンバータを昇圧動作させて電源供給すると良い。このようにすると、前記電池の電圧が前記スイッチによって前記負荷部に直接供給されているときに、前記電池の電圧が突然低下しても、速やかに、昇圧コンバータによって、前記負荷部の電圧スペックに適応した安定した電圧の電源供給をすることができるので、前記負荷部の安定した動作を図ることができる。
【００２４】
また、例えば、前記電池電圧検出手段をマイコンのＡＤ変換によるものにすると、第１の電源供給形態と第２の電源供給形態とを切り替えるための前記電池の電圧と予め定められた所定の判定電圧との比較をソフト上で行うことができ、この比較のための回路等が不要となり、また、前記所定の判定電圧の変更が容易になる。
【００２５】
また、例えば、前記スイッチをＮチャンネル型ＭＯＳＦＥＴにすると、Ｎチャンネル型ＭＯＳＦＥＴはオン抵抗が小さいので、このスイッチ部での損失を低減し、前記電池の電圧を低下させることなく前記負荷部に供給できる。また、機械式接点のような機構部を有さないので高寿命である。
【００２６】
また、例えば、電池の電圧を異なる電圧に変換し、動作状態によって消費電力が異なる負荷部に供給する第１の電源供給手段と、前記電池の電圧を直接前記負荷部に供給する第２の電源供給手段とを備えた電池駆動装置における電源供給方法において、前記負荷部の前記動作状態を判定する動作状態判定ステップと、前記電池の電圧を検出する電池電圧検出ステップと、前記動作状態判定ステップで判定された前記負荷部の動作状態と前記電池電圧検出ステップで検出された前記電池の電圧とに応じて、第１の電源供給手段と第２の電源供給手段とを切り替える切替ステップとを設けると良い。
【００２７】
このようにすると、前記電池から前記負荷部に第２の電源供給手段で電源供給しているときには、前記電池の電圧を変換するための電力損失が生じないので、前記電池の電気エネルギーを有効に活用できる。また、前記負荷部の消費電力が大きく、前記電池の電圧変動が生じるときや、前記電池の出力電圧が低下したときには、第１の電源供給手段で電源供給することにより、前記負荷部の電圧スペックに適応した安定した電源を供給することができるので、前記負荷部の安定した動作が図れる。
【００２８】
また、例えば、前記切替ステップは、第１の電源供給手段の起動と第２の電源供給手段の停止とを同時に行うようにすると良い。このようにすると、前記負荷部に供給される電圧が低下することなく電源供給することができる。
【００２９】
また、例えば、前記負荷部がディスク再生装置またはディスク記録装置のピックアップ部を有し、前記負荷部の前記動作状態には少なくとも前記ピックアップ部のピックアップが移動している移動状態および移動していない非移動状態が含まれ、前記ピックアップ部が所定のアドレスをサーチし、該サーチを完了してディスクデータを読み込み始めたときに、前記移動状態から非移動状態に移行したと判定すると良い。
【００３０】
このようにすると、前記ピックアップが移動するために前記電池の電圧が変動するときには、第１の電源供給手段を動作させて前記ピックアップ部の電圧スペックに適応した電圧を前記ピックアップ部に供給することができるので、前記ピックアップ部を安定して作動させることができる。また、前記ピックアップがサーチを完了してディスクデータを読み込み始めたときには、前記ピックアップ部での消費電力が小さくなり、前記電池の電圧の変動がなくなるので、第２の電源供給手段に切り替えて電源供給しても、前記ピックアップ部の電圧スペックに適応した電圧を前記ピックアップ部に供給することができるので、第１の電力供給手段での電圧変換による電力損失を低減することができ、前記電池の消耗を抑制できる。
【００３１】
【発明の実施の形態】
以下に、本発明の実施形態を図面を参照して説明する。図１は本発明の一実施形態に係るポータブルミニディスク再生装置（以下、ＭＤ再生装置という）の電気的構成を示すブロック図である。
【００３２】
図１において、２０はミニディスク（以下、ＭＤという）であり、磁性膜を有する光磁気ディスク２０ａ（図示せず）と、この光磁気ディスク２０ａを保護するためのカートリッジ２０ｂ（図示せず）とから構成されている。光磁気ディスク２０ａには案内溝が形成されており、この案内溝は、絶対位置情報を示すデータ（ＡＤＩＰ：Ａｄｄｒｅｓｓ  Ｉｎ  Ｐｒｅｇｒｏｏｖｅ）でＦＭ変調した周波数でウォブリング（蛇行）するように形成されている。
【００３３】
また、図１に示すＭＤ再生装置は、光磁気ディスク２０ａを回転駆動するためのスピンドルモータ１１と、回転する光磁気ディスク２０ａにレーザビームを照射し、このレーザビームが光磁気ディスク２０ａの磁性膜において反射され、戻ってきたビーム中から光磁気信号を読み取り、ＲＦ信号（ＲＦ：Ｒａｄｉｏ  Ｆｒｅｑｕｅｎｃｙ  ）を出力するためのピックアップ９と、このピックアップ９を光磁気ディスク２０ａの半径方向に移動させるためのピックアップ移動回路８と、ピックアップ９からのＲＦ信号を適当なレベルまで増幅するためのＲＦアンプ７とを備えている。そして、ＲＦアンプ７からのＲＦ信号はＤＳＰ（デジタル・シグナル・プロセッサ）６に与えられる。
【００３４】
ＤＳＰ６は、ＲＦ信号中からウォブリング周波数を検出することにより情報未記録時においても光磁気ディスク２０ａにおける位置が検出可能なＡＤＩＰデコーダ回路６２と、増幅されたＲＦ信号からＥＦＭ信号（ＥＦＭ：Ｅｉｇｈｔ  ｔｏ  Ｆｏｕｒｔｅｅｎ  Ｍｏｄｕｌａｔｉｏｎ）を抽出し、ＥＦＭ復調、誤り訂正等を行うＥＦＭデコーダ回路６１と、メモリ５に対するデータの入出力を制御するためのメモリ制御回路６５と、メモリ５から読み出されたデータの伸張を行いデジタルオーディオ信号を出力するためのＡＴＲＡＣデコーダ回路６６と、復元されたデジタルオーディオ信号をアナログ信号に変換するためのＤ／Ａコンバータ６７と、スピンドルモータ１１、ピックアップ移動回路８、および、ピックアップ９をピックアップ・モータ駆動回路１０を介してサーボ制御するためのサーボ制御回路６３と、再生時にピックアップ９が光磁気ディスク２０ａに対し照射するレーザビームのための電気出力（レーザ出力）を制御するためのレーザ出力制御回路６４とから構成されている。
【００３５】
そして、デジタル部６ａ（図示せず）は、ＤＳＰ６を構成する上述した各回路のデジタル制御される部分であり、アナログ・インターフェース部６ｂ（図示せず）は、同じく、ＤＳＰ６を構成する上述した各回路のアナログ制御される部分、及び、ＤＳＰ６の外部に設けられた各回路等とのインターフェース部分である。
【００３６】
また、図１に示すＭＤ再生装置は、このＭＤ再生装置の各回路を制御するためのマイコン１２と、マイコン１２に外部から操作指令を与えるためのキー入力部１４と、このＭＤ再生装置の再生状態等を表示するための表示部１３と、ＤＳＰ６内のＥＦＭデコーダ回路６１の出力を一時的に保持し、振動などによる音飛び等を防止するための１６Ｍビット程度の容量を持つメモリ５と、再生された音声を聞くための外部のヘッドホン１６を駆動するヘッドホン駆動回路１５を備えている。以上説明した各部は図示したように接続されている。
【００３７】
また、図１に示すＭＤ再生装置には、動作用電源としての電池（例えば、定格出力電圧が１．２Ｖのニッケル水素電池）１が搭載されている。そして、電池１に昇圧コンバータ２と昇圧コンバータ３とパススイッチ４とが接続され、昇圧コンバータ２の出力部は、上述したＤＳＰ６のアナログ・インターフェース部６ｂとマイコン１２とＲＦアンプ７に接続され、これらに電池１からの電圧Ｖｂ（約１．０Ｖ〜約１．４５Ｖ）を約２．５Ｖに昇圧したアナログ・インターフェース部用電圧Ｖ６ｂを供給している。また、昇圧コンバータ３及びパススイッチ４の出力部は共に、上述したＤＳＰ６のデジタル部６ａに接続され、後述する電源供給切替処理に従って、マイコン１２からの制御信号によって、昇圧コンバータ３とパススイッチ４とのいずれかを介して、デジタル部６ａを動作させるためのデジタル部用電圧Ｖ６ａが与えられる。尚、デジタル部６ａの動作電圧の定格は約１．２５Ｖである。
【００３８】
次に、このデジタル部６ａに与えられるデジタル部用電圧Ｖ６ａの電源供給切替処理を説明する。図２は、図１に示すＭＤ再生装置の電源供給切替処理部を示したブロック図である。図２において、図１と同一の部分には同一の符号を付し、その詳細な説明を省略する。図２において、電池１に昇圧コンバータ３とパススイッチ４とが並列に接続され、昇圧コンバータ３とパススイッチ４の出力は共にＤＳＰ６のデジタル部６ａに接続されている。そして、昇圧コンバータ３にはマイコン１２からの制御信号ＣＴＬ１が入力され、パススイッチ４にはマイコン１２からの制御信号ＣＴＬ２が入力され、昇圧コンバータ３とパススイッチ４のいずれかを介してデジタル部用電圧Ｖ６ａがデジタル部６ａに供給されるように切替制御される。また、マイコン１２は、電池１の出力電圧Ｖｂ（約１．０Ｖ〜約１．４５Ｖ）をＡＤ（アナログ・デジタル）変換して入力するＡＤ変換部（電池電圧検出手段）１７を備えている。また、デジタル部用電圧Ｖ６ａを電圧検出器（負荷電圧検出手段）１８により検出し、この電圧検出器１８の出力が昇圧コンバータ３およびパススイッチ４に入力され、デジタル部用電圧Ｖ６ａが電圧検出器１８に予め設定されている設定電圧より低くなったときに、昇圧コンバータ３を動作させるとともに、パススイッチ４を開放するようになっている。
【００３９】
図３は、図２に示した電源供給切替処理部の具体的回路を示す回路ブロック図である。図３において、図２と同一の部分には同一の符号を付し、その詳細な説明を省略する。図３において、電池１の正極側にコイルＬ１の一端が接続され、コイルＬ１の他端がＮチャンネル型ＭＯＳＦＥＴＴ１のドレインと逆流防止用ダイオードＤ１のアノードに接続されている。そして、ＭＯＳＦＥＴＴ１のソースはグランドに接続されている。また、電池１の負極はグランドに接続されており、電池１の正極とグランド間に電池１の出力電圧の変動を抑制するためのコンデンサＣ１が接続されている。
【００４０】
ダイオードＤ１のカソードはコンデンサＣ２を介してグランドに接続されるとともに、ＤＳＰ６のデジタル部６ａに接続されている。また、ダイオードＤ１のカソードとＭＯＳＦＥＴＴ１のゲートとが、それぞれ昇圧制御回路１９に接続され、電圧制御帰還回路が形成されている。また、昇圧制御回路１９を作動、停止させるための信号が入力される昇圧制御回路１９のコントロール端子が、ダイオードＤ２のカソードに接続され、ダイオードＤ２のアノードがマイコン１２の制御信号ＣＴＬ１が出力される制御端子に接続されている。また、ダイオードＤ２のカソードはダイオードＤ４のカソードに接続され、ダイオードＤ４のアノードは電圧検出器１８の出力端子に接続されている。電圧検出器１８の入力端子はダイオードＤ１のカソードに接続されている。
【００４１】
また、電池１の正極がＮチャンネル型ＭＯＳＦＥＴＴ２のドレインに接続され、ＭＯＳＦＥＴＴ２のソースがダイオードＤ１のカソードに接続されている。そして、ＭＯＳＦＥＴＴ２のゲートは抵抗Ｒ１を介してゲート電圧発生回路２１に接続されている。また、ＭＯＳＦＥＴＴ２のゲートはＮＰＮ型トランジスタＴ３のコレクタに接続され、トランジスタＴ３のエミッタはグランドに接続されている。また、トランジスタＴ３のベースはダイオードＤ３のカソードとダイオードＤ５のカソードに接続されている。そして、ダイオードＤ５のアノードは電圧検出器１８の出力端子に接続され、ダイオードＤ３のアノードはマイコン１２の制御信号ＣＴＬ２が出力される制御端子に接続されている。また、マイコン１２が有するＡＤ変換部１７に電池１の正極が接続され、電池１の出力電圧Ｖｂが入力されるようになっている。
【００４２】
昇圧制御回路１９は、昇圧制御回路１９のコントロール端子の入力が論理レベルでＨ（Ｈｉｇｈ）レベルのときにＭＯＳＦＥＴＴ１をオン・オフして電池１の出力電圧Ｖｂを昇圧する。即ち、ＭＯＳＦＥＴＴ１がオンのときに、電池１の電圧で充電されたコンデンサＣ１の出力電圧により、コイルＬ１、ＭＯＳＦＥＴＴ１を通じてグランドに電流が流れ、コイルＬ１にエネルギーが蓄えられる。そして、ＭＯＳＦＥＴＴ１がオフのときに、この蓄えられたエネルギーとコンデンサＣ１の出力電圧とでダイオードＤ１を介してコンデンサＣ２を充電する。このようにＭＯＳＦＥＴＴ１がオン・オフを繰り返すことにより、コンデンサＣ２の出力電圧は電池１の出力電圧Ｖｂよりも高い電圧となり、その電圧値は予め定められた所定値になるように、昇圧制御回路１９がＭＯＳＦＥＴＴ１のオン・オフ比率をフィードバック制御する。尚、昇圧制御回路１９のコントロール端子の入力が論理レベルでＬ（Ｌｏｗ）レベルのとき、昇圧制御回路１９は停止し、ＭＯＳＦＥＴＴ１はオフ状態を維持する。
【００４３】
このような構成の電源供給切替処理部の動作を図４に示すフローチャートに従って説明する。図４は、図１に示すＭＤ再生装置の電源供給切替処理を示すフローチャートである。先ず、図１に示すＭＤ再生装置の電源が投入される等の操作が行われると、マイコン１２は初期化処理を行う（ステップＳ１）。この初期化処理の後、図１に示すＭＤ再生装置はピックアップ９の作動状態となり、ＭＤ２０の光磁気ディスク２０ａの内容を読み込み始めるが、このとき、マイコン１２はＤＳＰ６のデジタル部６ａに供給する電源の電源供給手段切替のための動作状態の監視および判定を行う（ステップＳ２）。ここで、動作状態とは、ピックアップ９の非作動状態（以下、サーボオフ状態という）か、あるいは、それ以外の状態、即ち、ピックアップ９やスピンドルモータ１１が作動状態にある状態（以下、サーボオン状態という）かを意味する。
【００４４】
マイコン１２によって、図１に示すＭＤ再生装置がサーボオン状態にあると判定された場合、サーボオフ状態にある場合に比して、マイコン１２やＤＳＰ６等のプロセッサの動作状態が頻繁（別言すれば、フル稼働状態等）になる。そのため、マイコン１２はデジタル部６ａへの電源供給手段を昇圧コンバータ３に切り替え、昇圧コンバータ３に昇圧動作を行わせる切替制御を行う。この理由は、ピックアップ９が作動するサーボオン状態では、ＭＤ２０の光磁気ディスク２０ａを回転させ、ピックアップ９を所定のアドレスに移動させて光磁気ディスク２０ａの情報を読み取るために、ピックアップ９の位置制御や読み取った信号を増幅、復調、復調データのメモリ取り込み等が行われるため、電池１の負荷が大きく、そのため、電圧変動が大きくなるので、デジタル部６ａへの供給電圧が変動しないように安定化するためである。しかしながら、昇圧コンバータ３を昇圧動作させるということは、それ自身で電池１のエネルギーを使用していることであるから、電池１の電圧を昇圧する必要のない場合には昇圧コンバータ３の昇圧動作を停止させて電源供給する方が、電池１のエネルギーを有効に活用できる。
【００４５】
そこで、ステップＳ２において、図２に示すマイコン１２は、動作状態がサーボオン状態と判定された場合に、電池１の電圧Ｖｂが予め定められた判定電圧３以上かどうかを判定する（ステップＳ３）。電池１の電圧Ｖｂは、マイコン１２が有するＡＤ変換部１７によりデジタル数値化され、予め記憶された前記判定電圧３と比較される。そして、電池１の電圧Ｖｂが判定電圧３以上である場合には、図２に示す昇圧コンバータ３の昇圧動作を停止させるとともに、パススイッチ４を閉成する（ステップＳ４）。このときの動作を図３に示す具体的回路で説明すると、このとき、マイコン１２からの制御信号ＣＴＬ１はＬレベルになるので、昇圧制御回路１９のコントロール端子の入力もＬレベルになる。従って、昇圧制御回路１９は停止状態となる。一方、マイコン１２からの制御信号ＣＴＬ２もＬレベルになる。従って、トランジスタＴ３はオフとなり、ＭＯＳＦＥＴＴ２のゲートには、ゲート電圧発生回路２１から抵抗Ｒ１を介してＨレベルの電圧が印加される。これにより、ＭＯＳＦＥＴＴ２はオン状態となり、電池１の電圧ＶｂがＭＯＳＦＥＴＴ２を介してデジタル部６ａに与えられる。尚、制御信号ＣＴＬ１とＣＴＬ２は同時に変化するように制御される。
【００４６】
次に、ステップＳ３において、電池１の電圧Ｖｂが判定電圧３より小さい場合は、図２に示す昇圧コンバータ３を昇圧動作させるとともに、パススイッチ４を開放する（ステップＳ５）。このときの動作を図３に示す具体的回路で説明すると、このとき、マイコン１２からの制御信号ＣＴＬ１はＨレベルになり、昇圧制御回路１９のコントロール端子の入力もＨレベルになるので、昇圧制御回路１９は動作状態となる。一方、マイコン１２からの制御信号ＣＴＬ２もＨレベルになるので、トランジスタＴ３がオンとなり、ＭＯＳＦＥＴＴ２のゲートはグランドレベルになり、ＭＯＳＦＥＴＴ２はオフ状態となる。従って、電池１の電圧Ｖｂは、上述したように、ＭＯＳＦＥＴＴ１がオン・オフ動作することにより、所定の電圧に昇圧されてデジタル部６ａに安定して供給される。尚、このときも、制御信号ＣＴＬ１とＣＴＬ２は同時に変化するように制御される。
【００４７】
次に、ステップＳ２において、動作状態がサーボオフ状態と判定された場合、その次に電池１の電圧Ｖｂが予め定められた判定電圧１以上かどうかを判定する（ステップＳ６）。そして、電池１の電圧が判定電圧１以上である場合には、図２に示す昇圧コンバータ３の昇圧動作を停止させるとともに、パススイッチ４を開放する（ステップＳ７）。このときの動作を図３に示す具体的回路で説明すると、このとき、マイコン１２からの制御信号ＣＴＬ１はＬレベルになる。従って、昇圧制御回路１９のコントロール端子の入力もＬレベルになるので、昇圧制御回路１９は停止状態となる。一方、マイコン１２からの制御信号ＣＴＬ２はＨレベルになる。従って、トランジスタＴ３がオンとなり、ＭＯＳＦＥＴＴ２のゲートはグランドレベルになるので、ＭＯＳＦＥＴＴ２はオフ状態となる。これにより、電池１の電圧Ｖｂから、コイルＬ１のＤＣ成分の抵抗分による電圧降下とダイオードＤ１のＶｆ（順方向電圧）分だけ電圧降下した電圧が、デジタル部６ａに供給される。従って、判定電圧１の電圧値は、デジタル部６ａの電圧スペックの下限値に、これらの電圧降下分を加えた電圧値にする必要がある。このようにすることにより、ＭＯＳＦＥＴＴ２をオンさせて電池１の電圧Ｖｂをデジタル部６ａに供給するときよりも低い電圧がデジタル部６ａに供給される。これにより、デジタル部６ａでの消費電力を低減することができる。尚、制御信号ＣＴＬ１とＣＴＬ２は同時に変化するように制御される。
【００４８】
次に、ステップＳ６において、電池１の電圧Ｖｂが判定電圧１より低い場合、その次に、電池１の電圧Ｖｂが予め定められた判定電圧２以上かどうかを判定する（ステップＳ８）。判定電圧２の電圧は、デジタル部６ａの電圧スペックの下限値に近いが、後述する図２、図３に示す電圧検出器１８の設定電圧より高い電圧である。そして、電池１の電圧Ｖｂが判定電圧２以上である場合には、図２に示す昇圧コンバータ３の昇圧動作を停止させるとともに、パススイッチ４を閉成する（ステップＳ４）。一方、電池１の電圧Ｖｂが判定電圧２より小さい場合は、図２に示す昇圧コンバータ３を昇圧動作させるとともに、パススイッチ４を開放する（ステップＳ５）。
【００４９】
ところで、マイコン１２のＡＤ変換部１７は、常時、電池１の電圧Ｖｂを監視しており、上述したステップＳ４、Ｓ５、Ｓ７が終了しても電圧を監視しなければならないので、再びステップＳ２に戻り、動作状態および電池１の電圧Ｖｂの監視を行う。この１サイクルに要する時間は約４０ｍｓｅｃである。
【００５０】
以上説明した図２に示す昇圧コンバータ３とパススイッチ４の状態および制御信号ＣＴＬ１、ＣＴＬ２の論理レベルと、ＭＤ再生装置の動作状態および電池１の電圧Ｖｂとの関係をまとめたものを図５に示す。
【００５１】
ところで、以上説明した電源供給切替処理において、図２に示す昇圧コンバータ３の昇圧動作を停止させた状態で電源供給する場合は、電圧の安定が確保されないということになる。即ち、電池１と電池１への配線との接触不良や、何らかの原因でデジタル部６ａへの供給電圧に急激な変動や低下が起こった場合に、供給する電圧値をデジタル部６ａの電圧スペックの下限値以上に保持する必要がある。マイコン１２のＡＤ変換部１７による電圧監視では、ＡＤ変換に要する時間が必要になるので、この時間以下の急激な電圧低下や変動は検知できない。このため、デジタル部６ａに供給される電圧を検出する電圧検出器１８を設け、昇圧コンバータ３の昇圧動作を停止させた状態のときに、電圧検出器１８で検出された電圧が、予め電圧検出器１８に設定された設定電圧より低い電圧となったときに、電圧検出器１８の出力で昇圧コンバータ３を昇圧動作させるともに、パススイッチ４を開放する。
【００５２】
このときの動作を図３に示す具体的回路で説明すると、このとき、マイコン１２からの制御信号ＣＴＬ１はＬレベルであり、マイコン１２からの制御信号ＣＴＬ２もＬレベルである。従って、昇圧制御回路１９は停止状態となろ。また、トランジスタＴ３がオフとなり、ＭＯＳＦＥＴＴ２のゲートには、ゲート電圧発生回路２３から抵抗Ｒ１を介してＨレベルの電圧が印加され、ＭＯＳＦＥＴＴ２はオン状態となる。これにより、電池１の電圧ＶｂがＭＯＳＦＥＴＴ２を介してデジタル部６ａに与えられる（図４に示すステップＳ４）。また、電圧検出器１８はデジタル部６ａに供給される電圧を検出しており、この電圧が予め定められた設定電圧より高いときには、電圧検出器１８の出力はＬレベルであるので、昇圧制御回路１９のコントロール端子及びトランジスタＴ３のベースに与えられる制御信号の論理レベルに変化はない。
【００５３】
しかし、電圧検出器１８で検出された電圧が、電圧検出器１８に予め設定された設定電圧より低くなると、電圧検出器１８はその出力をＨレベルに変化させる。このＨレベルの信号がダイオードＤ４を介して昇圧制御回路１９のコントロール端子に入力されるので、昇圧制御回路１９は動作を開始する。一方、電圧検出器１８の出力であるＨレベルの信号は、ダイオードＤ５を介してトランジスタＴ３のベースにも印加されるので、トランジスタＴ３がオンすることにより、ＭＯＳＦＥＴＴ２がオフとなる。従って、デジタル部６ａには、昇圧制御回路１９が動作し、ＭＯＳＦＥＴＴ１がオン・オフすることにより、電池１の電圧Ｖｂを昇圧した電圧が供給されることになり、デジタル部６ａは動作を継続することができる。
【００５４】
また、電圧検出器１８は、デジタル部６ａへの供給電圧を監視し、この電圧が電圧検出器１８に設定された設定電圧より低くなり、電圧検出器１８が、その出力をＨレベルにすると、デジタル部６ａへの電圧が前記設定電圧を上回っても、しばらくの間（約１秒）、この状態を保持する。これは、デジタル部６ａへの供給電圧が復旧しても、すぐにまた昇圧コンバータ３の昇圧動作が停止状態となり、デジタル部６ａへの供給電圧の低下や変動による電圧検出器１８の復旧動作が、またすぐに発生するというチャタリング動作の発生防止のためである。
【００５５】
また、以上説明した判定電圧１、判定電圧２、判定電圧３、電圧検出器１８の設定電圧、デジタル部６ａの電圧スペックの下限値の各電圧値は、以下のような関係になるように設定される。
【００５６】
判定電圧３＞判定電圧１＞判定電圧２＞電圧検出器１８の設定電圧＞デジタル部６ａの電圧スペックの下限値
【００５７】
次に、上述のように、デジタル部６ａへの電源供給手段を切り替えて、昇圧コンバータ３の昇圧動作を停止させ、パススイッチ４を閉成して電源供給する場合と、昇圧コンバータ３を昇圧動作させ、パススイッチ４を開放して電源供給する場合との電力損失の比較を、数式を用いて具体的に検証してみる。
【００５８】
先ず、昇圧コンバータ３の昇圧動作を停止させ、パススイッチ４を閉成して電源供給する場合、電池１（例えば、ニッケル水素電池）の出力電圧Ｖｂが１．２５Ｖであり、デジタル部６ａへ電池１よりＩ０  Ａの電流が流入した場合、以下の式１に示す電力が消費されることになる。尚、このとき、昇圧コンバータ３は、上述のように昇圧動作停止状態にあるため、昇圧コンバータ３におけるアイドリング電流が流れることはないので、昇圧コンバータ３での電力損失はない。
【００５９】
１．２５×Ｉ０  ［Ｗ］・・・（式１）
【００６０】
次に、昇圧コンバータ３を昇圧動作させ、パススイッチ４を開放して電源供給する場合、昇圧コンバータ３の出力電圧が１．２５Ｖ、変換効率ηが８０％とし、デジタル部６ａへは昇圧コンバータ３よりＩ０  Ａの出力電流が流入した場合、１．２５×Ｉ０  ［Ｗ］／０．８＝１．５６２５×Ｉ０  ［Ｗ］の電力が変換に伴って消費されることになる。また、更に、昇圧コンバータ３の制御回路に要する電圧を２．５Ｖ、電流を１ｍＡとし、昇圧コンバータ２での２．５Ｖへの変換に伴う効率を８０％とした場合、（２．５×０．００１）／０．８＝０．００３１２５［Ｗ］の電力が昇圧コンバータ３の制御回路により消費される。従って、デジタル部６ａの消費電力は電池からみると、以下の式２に示す電力が消費されることになる。
【００６１】
１．５６２５×Ｉ０＋０．００３１２５［Ｗ］・・・（式２）
【００６２】
従って、昇圧コンバータ３の昇圧動作を停止させ、パススイッチ４を閉成して電源供給する場合と、昇圧コンバータ３を昇圧動作させ、パススイッチ４を開放して電源供給する場合との電力損失の差分は、（式１）−（式２）となり、０．３１２５×Ｉ０＋０．００３１２５［Ｗ］となる。
【００６３】
また、昇圧コンバータ３の昇圧動作を停止させ、パススイッチ４を閉成して電源供給する場合と、昇圧コンバータ３を昇圧動作させ、パススイッチ４を開放して電源供給する場合の電力損失の比率は、仮にＩ０  を１０ｍＡとすると、（式１）／（式２）から、（１．２５×１０）／（１．５６２５×１０＋０．００３１２５）＝１２．５／１５．６２８１２５≒０．７９９８４≒０．８となる。
【００６４】
上記の電力損失比率の意味するところは、昇圧コンバータ３を昇圧動作させ、パススイッチ４を開放して電源供給する場合よりも、昇圧コンバータ３の昇圧動作を停止させ、パススイッチ４を閉成して電源供給する場合の方が、電源（電池）の有効活用ができるということである。そして、これらの供給方法による電力比は１：０．８、即ち、本実施形態に係る供給方法によって、電力損失を約２０％抑制することができる。
【００６５】
電池電圧、動作状態によって検証すべきケースはいろいろあるが、サーボオン状態とサーボオフ状態の時間比率が、ＭＤの圧縮比率の向上に伴い、ＬＰ２の場合、従来の約１／５から１／１０、ＬＰ４の場合、従来の約１／２０となっている。従って、サーボオフ状態の時間が長くなることになるので、サーボオフ状態での消費電力を減らすことは、全体の消費電力低減に寄与する割合が大きくなってきている。このため、サーボオフ時の電流を１ｍＡでも減らすことは再生時間が数時間延びることになる。
【００６６】
以上説明したように、本実施の形態によれば、図１に示すピックアップ９の作動状態等でマイコン１２やＤＳＰ６といったプロセッサ等が頻繁に動作するサーボオン状態、ピックアップ９の非作動状態であるサーボオフ状態という図１に示すＭＤ再生装置の動作状態と、電池１の電圧とに応じて、これらのプロセッサに電源を供給する電源供給手段を、昇圧コンバータ３とパススイッチ４とに切り替えることのできる制御機構を設けることで、昇圧コンバータ３の昇圧動作が停止する状態が発生するため、昇圧コンバータ３内部で発生する無駄な消費電力（アイドリング動作による無駄な電力消費）を抑えることができ、電池１のエネルギーを有効に活用できる。従って、図１に示すＭＤ再生装置の全体的な再生時間は、昇圧コンバータ３の昇圧動作を常時行う場合よりも、延びることになる。
【００６７】
尚、本実施形態はＭＤ再生装置の例を示したが、電池の電力により駆動され、動作状態によって消費電力の異なる負荷部を有する他の電池駆動装置においても、本発明は適用可能である。
【００６８】
【発明の効果】
以上のように、本発明によれば、動作状態によって消費電力が異なる負荷部を電池からの電力で駆動させる電池駆動装置において、前記電池の電圧を異なる電圧に変換して前記負荷部に供給する第１の電源供給手段と、前記電池の電圧を直接前記負荷部に供給する第２の電源供給手段と、前記負荷部の前記動作状態を判定する動作状態判定手段と、前記電池の電圧を検出する電池電圧検出手段とを設け、前記動作状態判定手段により判定された前記負荷部の動作状態と前記電池電圧検出手段により検出された前記電池の電圧とに応じて、第１の電源供給手段と第２の電源供給手段とを切り替えて前記負荷部に電源供給するようにしたことにより、前記電池の電圧を異なる電圧に変換するために要する電力を低減することができ、前記電池を有効に活用することができる。
【００６９】
また、本発明によれば、第１の電源供給手段を、直流入力を電圧の異なる直流出力に変換する自励式または他励式の昇圧コンバータにし、第２の電源供給手段を、前記電池と負荷部とを直結するスイッチにすることにより、このスイッチを介して電源供給する際には、電圧変換等のための無駄な電力損失が無く、前記電池の出力電圧が低下したときには、昇圧コンバータの昇圧動作により前記電池電圧を昇圧し、前記負荷部の電圧スペックに適応した安定した電圧を供給することができる。
【００７０】
また、本発明によれば、前記昇圧コンバータを、昇圧動作の停止中は直流入力をこの直流入力電圧より低い電圧の直流出力に変換し、昇圧動作中は直流入力をこの直流入力電圧より高い電圧の直流出力に変換する昇圧コンバータにし、前記動作状態判定手段により判定された前記負荷部の動作状態と前記電池電圧検出手段により検出された前記電池の電圧とに応じて、この昇圧コンバータの昇圧動作を停止させる、または、この昇圧コンバータを昇圧動作させるようにすることにより、前記昇圧コンバータの昇圧動作を停止させた状態でも、前記負荷部に電源を供給することができ、この昇圧コンバータを昇圧動作させるための電力が不要となり、前記電池の電気エネルギーを更に有効に活用できる。また、前記負荷部に供給される電圧が低くなるので、前記負荷部での消費電力が低減され、電池駆動装置全体としての消費電力が低減される。
【００７１】
また、本発明によれば、電池の電圧を異なる電圧に変換し、動作状態によって消費電力が異なる負荷部に供給する第１の電源供給手段と、前記電池の電圧を直接前記負荷部に供給する第２の電源供給手段とを備えた電池駆動装置における電源供給方法において、前記負荷部の前記動作状態を判定する動作状態判定ステップと、前記電池の電圧を検出する電池電圧検出ステップと、前記動作状態判定ステップで判定された前記負荷部の動作状態と前記電池電圧検出ステップで検出された前記電池の電圧とに応じて、第１の電源供給手段と第２の電源供給手段とを切り替える切替ステップとを設けることにより、前記電池から前記負荷部に第２の電源供給手段で電源供給しているときには、前記電池の電圧を変換するための電力損失が生じないので、前記電池の電気エネルギーを有効に活用でき、また、前記負荷部の消費電力が大きく、前記電池の電圧変動が生じるときや、前記電池の出力電圧が低下したときには、第１の電源供給手段で電源供給することにより、前記負荷部の電圧スペックに適応した安定した電源を供給する電源供給方法を提供することができる。
【図面の簡単な説明】
【図１】は、本発明の実施形態に係るポータブルミニディスク再生装置の電気的構成を示すブロック図である。
【図２】は、図１に示すポータブルミニディスク再生装置の電源供給切替処理部を示したブロック図である。
【図３】は、図２に示す電源供給切替処理部の具体的回路を示す回路ブロック図である。
【図４】は、図１に示すポータブルミニディスク再生装置の電源供給切替処理を示すフローチャートである。
【図５】は、図２に示す昇圧コンバータとパススイッチの状態および制御信号の論理レベルと、動作状態および電池電圧との関係を示す説明図である。
【符号の説明】
１    電池
２    昇圧コンバータ
３    昇圧コンバータ（第１の電源供給手段）
４    パススイッチ（第２の電源供給手段）
５    メモリ
６    ＤＳＰ（デジタル・シグナル・プロセッサ）
６ａ    デジタル部
６ｂ    アナログ・インターフェース部
７    ＲＦアンプ
８    ピックアップ移動回路
９    ピックアップ
１０    ピックアップ・モータ駆動回路
１１    スピンドルモータ
１２    マイコン（動作状態判定手段、切替制御手段）
１３    表示部
１４    キー入力部
１５    ヘッドホン駆動回路
１６    ヘッドホン
１７    ＡＤ変換部（電池電圧検出手段）
１８    電圧検出器（負荷電圧検出手段）
１９    昇圧制御回路
２０    ミニディスク（ＭＤ）
２１    ゲート電圧発生回路
６１    ＥＦＭデコーダ回路
６２    ＡＰＩＰデコーダ回路
６３    サーボ制御回路
６４    レーザ出力制御回路
６５    メモリ制御回路
６６    ＡＴＲＡＣデコーダ回路
６７    Ｄ／Ａコンバータ
Ｃ１、Ｃ２    コンデンサ
Ｄ１〜Ｄ５    ダイオード
Ｌ１    コイル
Ｒ１    抵抗
Ｔ１、Ｔ２    ＭＯＳＦＥＴ
Ｔ３    トランジスタ
【図１】
2004260955.tif 000003
【図２】
2004260955.tif 000004
【図３】
2004260955.tif 000005
【図４】
2004260955.tif 000006
【図５】
2004260955.tif 000007